(57)【要約】【課題】訴求面に表示された商品情報等を視認しやすい容器用表示体を提供すること。【解決手段】容器に装着され、ラベル部１０、ラベル重複部２０及び被覆部３０が連なって設けられるシート状の容器表示体１であって、ラベル部１０は、ラベル本体部１１と、ラベル本体部１１の一部に容器を挿入可能な開口部１３を備え、ラベル重複部２０は、ラベル部１０に屈曲自在に取り付けられており、被覆部３０は、少なくとも一部に、ラベル部１０の開口部１３によって係止される係止部３１ａを備える。【選択図】図１
2020122825.tif 000002
【特許請求の範囲】
【請求項１】
容器に装着され、ラベル部、ラベル重複部及び被覆部が連なって設けられるシート状の容器表示体であって、
前記ラベル部は、ラベル本体部と、前記ラベル本体部の一部に容器を挿入可能な開口部を備え、
前記ラベル重複部は、前記ラベル部に屈曲自在に取り付けられており、
前記被覆部は、少なくとも一部に、前記ラベル部の前記開口部によって係止される係止部を備える、
容器表示体。
【請求項２】
請求項１に記載の容器表示体において、
前記容器表示体は、第１面及び前記第１面と反対側の第２面を有し、
前記被覆部が略凸形状に折り曲げられ、前記係止部が前記開口部の第２面と係止されることにより容器に装着可能となる、
容器表示体。
【請求項３】
請求項２に記載の容器表示体において、
前記ラベル重複部は、前記ラベル部との境界で折り曲げられることにより前記ラベル部の第２面と重なる、
容器表示体。
【請求項４】
請求項２又は請求項３に記載の容器表示体において、
前記ラベル部は、第１面の側に訴求面が設けられる、
容器表示体。
【請求項５】
請求項１から請求項４までのいずれか一項に記載の容器表示体において、
前記被覆部は、正面部、天井部及び背面部が連なって設けられ、
前記正面部と前記天井部との間及び前記背面部と前記天井部との間には、前記天井部の側から前記正面部及び前記背面部の側に向かってそれぞれ凸形となる曲線状の折り代が設けられる、
容器表示体。
【請求項６】
請求項１から請求項５までのいずれか一項に記載の容器表示体において、
前記ラベル部の前記開口部は、前記容器表示体が容器に装着されたときに、容器の側面と当接する一対の当接部を備える、
容器表示体。
【請求項７】
請求項１から請求項６までのいずれか一項に記載の容器表示体において、
前記ラベル重複部は、前記被覆部との境界に、前記容器表示体が容器の栓部に装着されたときに、容器の側面と当接する当接片を備える、
容器表示体。
【請求項８】
請求項１から請求項７までのいずれか一項に記載の容器表示体において、
前記ラベル部は、前記ラベル重複部と反対側の端部に連なって設けられ、訴求面となる延出部を備える、
容器表示体。
【請求項９】
請求項１から請求項８までのいずれか一項に記載の容器表示体において、
前記被覆部は、前記係止部の端部に連なって設けられ、訴求面となる延出部を備える、
容器表示体。
【発明の詳細な説明】
【技術分野】
【０００１】
本発明は、容器の栓部に装着される容器表示体に関する。
【背景技術】
【０００２】
従来、ボトル、缶等の容器の栓部に装着される販売促進用の容器表示体として、中央部がＶ字形に谷折りされる首掛け部と表示部とが連接された容器表示体が提案されている（例えば、特許文献１参照）。
【先行技術文献】
【特許文献】
【０００３】
【特許文献１】特開２０１２−１１３０３５号公報
【発明の概要】
【発明が解決しようとする課題】
【０００４】
上述した従来の容器表示体では、訴求面（商品情報や広告等の表示部分）となる部分がＶ字形に谷折りされるため、訴求面に表示された商品情報や広告等（以下、「商品情報等」ともいう）が視認しにくくなる。
【０００５】
本発明の目的は、訴求面に表示された商品情報等を視認しやすい容器用表示体を提供することにある。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜に改良してもよく、また、少なくとも一部を他の構成物に代替してもよい。
【０００７】
第１の発明は、容器に装着され、ラベル部（１０）、ラベル重複部（２０）及び被覆部（３０）が連なって設けられるシート状の容器表示体であって、前記ラベル部は、ラベル本体部（１１）と、前記ラベル本体部の一部に容器を挿入可能な開口部（１３）を備え、前記ラベル重複部は、前記ラベル部に屈曲自在に取り付けられており、前記被覆部は、少なくとも一部に、前記ラベル部の前記開口部によって係止される係止部（３１ａ）を備える容器表示体（１）に関する。
第２の発明は、第１の発明に係る容器表示体（１）において、第１面（Ｓ１）及び前記第１面と反対側の第２面（Ｓ２）を有し、前記被覆部が略凸形に折り曲げられ、前記係止部が前記開口部の第２面と係止されることにより容器に装着可能となる。
第３の発明は、第２の発明に係る容器表示体（１）において、前記ラベル重複部は、前記ラベル部との境界で折り曲げられることにより前記ラベル部の第２面と重なる。
第４の発明は、第２又は第３の発明に係る容器表示体（１）において、前記ラベル部は、第１面の側に訴求面が設けられる。
第５の発明は、第１から第４までのいずれかの発明に係る容器表示体において、前記被覆部は、正面部（３１）、天井部（３２）及び背面部（３３）が連なって設けられ、前記正面部と前記天井部との間及び前記背面部と前記天井部との間には、前記天井部の側から前記正面部及び前記背面部の側に向かってそれぞれ凸形となる曲線状の折り代（２ｄ、２ｅ）が設けられる。
【０００８】
第６の発明は、第１から第５までのいずれかの発明に係る容器表示体（１）において、前記ラベル部の前記開口部は、前記容器表示体が容器に装着されたときに、容器の側面と当接する一対の当接部（１４ａ、１４ｂ）を備える。
【０００９】
第７の発明は、第１から第６までのいずれかの発明に係る容器表示体（１）において、前記ラベル重複部は、前記被覆部との境界に、前記容器表示体が容器の栓部に装着されたときに、容器の側面と当接する当接片（２１）を備える。
【００１０】
第８の発明は、第１から第７までのいずれかの発明に係る容器表示体（１）において、前記ラベル部は、前記ラベル重複部と反対側の端部に連なって設けられ、訴求面となる延出部（１２）を備える。
【００１１】
第９の発明は、第１から第８までのいずれかの発明に係る容器表示体（１）において、前記被覆部は、前記係止部の端部に連なって設けられ、訴求面となる延出部（３５）を備える。
【発明の効果】
【００１２】
本発明に係る容器表示体によれば、訴求面に表示された商品情報等を視認しやすくできる。
【図面の簡単な説明】
【００１３】
【図１】第１実施形態の容器表示体１を示す平面図である。
【図２】（Ａ）〜（Ｃ）は、容器表示体１を略凸形状に折り込む手順を示す側面図である。
【図３】（Ａ）及び（Ｂ）は、容器表示体１をボトル５０に装着する手順を示す斜視図である。
【図４】容器表示体１とボトル５０の栓部５１との係合状態を示す概略断面図である。
【図５】第２実施形態の容器表示体１Ａを示す平面図である。
【図６】第２実施形態の容器表示体１Ａをボトル５０に装着した状態を示す斜視図である。
【図７】第３実施形態の容器表示体１Ｂを示す平面図である。
【図８】第３実施形態の容器表示体１Ｂをボトル５０に装着した状態を示す斜視図である。
【図９】第４実施形態の容器表示体１Ｃを示す平面図である。
【図１０】第４実施形態の容器表示体１Ｃをボトル５０に装着した状態を示す斜視図である。
【発明を実施するための形態】
【００１４】
以下、本発明の実施形態について説明する。本明細書に添付した各図面は、いずれも模式図であり、理解しやすさを考慮して、各部の形状、縮尺、縦横の寸法比等を、実物から適宜に変更又は誇張している。本明細書中に記載する数値、形状、材料名等は、実施形態としての一例であり、これに限定されるものではなく、適宜に選択して使用してよい。また、各図面においては、部材の形状、輪郭を実線又は破線で表し、厚み部分の図示を適宜に省略している。
【００１５】
各実施形態では、図面にＸＹＺの直交座標系を記載した。この座標系は、容器表示体１を図１のように展開した状態において、左右方向をＸ方向、前後方向をＹ方向、厚さ（上下）方向をＺ方向とする。左右方向（Ｘ方向）においては、図中の右方向をＸ１方向とし、左方向をＸ２方向とする。前後方向（Ｙ方向）においては、図中の前又は前端方向をＹ１方向とし、後又は後端方向をＹ２方向とする。厚さ方向（Ｚ方向）においては、容器表示体１を平面視（図１参照）した場合に、表面の方向をＺ１方向とし、裏面の方向をＺ２方向とする。なお、本明細書においては、「〜方向」を適宜に「〜側」ともいう。
【００１６】
（第１実施形態）
図１は、第１実施形態の容器表示体１を示す平面図である。
図１に示すように、容器表示体１は、ラベル部１０、ラベル重複部２０及び被覆部３０が設けられた一枚のシート２により構成される。シート２は、前後方向（Ｙ方向）に沿って、ラベル部１０、ラベル重複部２０及び被覆部３０が、この順に連なって設けられている。シート２としては、例えば、紙、樹脂等の材料が用いられる。シート２として用いられる材料は、訴求面（例えば、後述する訴求面１１ａ）の表面に商品情報等を印刷可能な材質又は商品情報を印刷したシール等を貼り付け可能な材質であることが望ましい。なお、以下の説明においては、シート２の表面（Ｚ１側の面）を第１面Ｓ１とし、裏面（Ｚ２側の面）を第２面Ｓ２とする。
【００１７】
ラベル部１０は、ラベル本体部１１及び延出部１２を備える。ラベル本体部１１は、略中央に開口部１３が設けられている。開口部１３は、ボトル５０（図３参照）の栓部５１に挿入される略四角形の開口（穴）である。なお、本明細書等において、開口部１３は、開口とその周辺部分を含むものとする（他の実施形態も同様）。すなわち、開口部１３は、ラベル本体部１１の一部を含む領域として構成される。また、本明細書等において、ボトル５０の栓部５１は、飲料用のボトル５０（後述）の飲み口を封止するキャップを例として説明する。
【００１８】
ラベル本体部１１の第１面Ｓ１側において、開口部１３を除く領域は、商品情報等が表示される訴求面１１ａとなる。なお、第１実施形態では、ラベル本体部１１及び延出部１２をそれぞれ四角形（正方形）とした例を示すが、これに限らず、三角形、円形、楕円形、多角形等であってもよいし、各種の意匠を模した形状であってもよい。
【００１９】
開口部１３の左右方向（Ｘ方向）の幅Ｗ１は、被覆部３０（後述）の幅Ｗ２と同じか僅かに狭い寸法となるように設定されている。折り曲げた被覆部３０を開口部１３に通して第１面Ｓ１側に突出させた後に、被覆部３０の形状を保持しやすくするためである。また、開口部１３の前後方向（Ｙ方向）長さＬ１は、被覆部３０の天井部３２（後述）の前後方向の長さＬ２とほぼ同じ寸法となるように形成されている。折り曲げた被覆部３０を、開口部１３を通して第１面Ｓ１側に突出させたときに、左右方向（Ｘ方向）からの側面視において、被覆部３０が略四角形となるようにするためである。
【００２０】
開口部１３の左右方向（Ｘ方向）には、一対の当接部１４ａ及び１４ｂ（以下、総称して「当接部１４」ともいう）が設けられている。当接部１４は、容器表示体１がボトル５０の栓部５１に装着されたときに、ボトル５０の左右方向（Ｘ方向）の側面と当接する部分である。後述するように、容器表示体１は、当接部１４がボトル５０の側面と当接することにより、上下方向（Ｚ方向）及び左右方向（Ｘ方向）への移動が抑制される。
【００２１】
延出部１２は、ラベル本体部１１と連なって設けられた部分である。延出部１２の第１面Ｓ１側は、商品情報等が表示される訴求面１２ａとなる。そのため、第１実施形態のラベル部１０において、ラベル本体部１１及び延出部１２の第１面Ｓ１の側は、それぞれ訴求面１１ａ、１２ａとなる。なお、第１実施形態の容器表示体１において、ラベル部１０に延出部１２を設けない構成としてもよい。その場合、ラベル本体部１１の訴求面１１ａを訴求面とすることができる。
【００２２】
ラベル部１０において、ラベル本体部１１と延出部１２との間には、折り代２ａが設けられている。折り代２ａは、作業者が容器表示体１をボトル５０に装着する際に折り曲げられる部分である。折り代２ａには、シート２の裏面（第２面Ｓ２）側から表面（第１面Ｓ１）側に向けて略Ｖ字形の溝が形成されている。このような溝を形成することにより、ラベル部１０を折り代２ａの位置で折り曲げやすくなる。また、溝の代わりに、折り代２ａにミシン目を形成してもよい（他の折り代についても同様）。
【００２３】
ラベル重複部２０は、ラベル部１０と被覆部３０との間に設けられている。ラベル重複部２０は、ラベル部１０との境界（後述する折り代２ｂ）で折り曲げられて、ラベル本体部１１（ラベル部１０）の第２面Ｓ２と重ねられる部分である。ラベル重複部２０とラベル部１０との境界には、折り代２ｂが設けられている。また、ラベル重複部２０と被覆部３０との境界には、折り代２ｃが設けられている。
【００２４】
ラベル重複部２０は、被覆部３０との境界に当接片２１を備えている。当接片２１は、容器表示体１がボトル５０の栓部５１に装着されたときに、ボトル５０の後側（Ｙ２側）の側面と当接する部分である。後述するように、容器表示体１は、当接片２１がボトル５０の後側（Ｙ２側）の側面と当接することにより、前方向（Ｙ１方向）への移動が抑制される。
【００２５】
当接片２１は、ラベル重複部２０の一部が後側（Ｙ２側）に向けて略凹形となるように突出している。当接片２１のラベル重複部２０側には、折り代２ｂが形成されていない。また、当接片２１において、ラベル重複部２０側の外周領域には、切り込み２ｆが形成されている。当接片２１は、被覆部３０（後述）が折り曲げられたときに、切り込み２ｆの部分で被覆部３０と分離するため、当接片２１を折り曲げることなしに、被覆部３０のみを折り曲げることができる。被覆部３０を折り曲げたときの当接片２１の向きについては、後述する。
【００２６】
被覆部３０は、容器表示体１がボトル５０に装着されたときに、ボトル５０の上部を覆う部分である。被覆部３０には、正面部３１、天井部３２及び背面部３３が連なって設けられている。被覆部３０には、折り代２ｄ及び２ｅが形成されている。折り代２ｄは、背面部３３と天井部３２との間に形成されている。折り代２ｅは、天井部３２と正面部３１との間に形成されている。被覆部３０は、折り代２ｄ及び２ｅにより、３つの部分に区分される。被覆部３０において、正面部３１、天井部３２及び背面部３３の幅Ｗ２は、同一である。
【００２７】
正面部３１は、折り曲げた被覆部３０を、開口部１３を通して第１面Ｓ１側に突出させたときに、前側（Ｙ１側）に位置する部分である。天井部３２は、上側（Ｚ１側）に位置する部分である。背面部３３は、後側（Ｙ２側）に位置する部分である。後述するように、被覆部３０を、折り代２ｄ及び２ｅの位置で第２面Ｓ２の側に折り曲げることにより、被覆部３０は、全体として略凹形となる。略凹形に折り曲げた被覆部３０を開口部１３から第１面Ｓ１側に突出させると、正面部３１、天井部３２及び背面部３３は、それぞれの第２面Ｓ２が第１面Ｓ１の側（Ｚ１側）に露出する。
【００２８】
被覆部３０において、正面部３１は、ラベル重複部２０と反対側の端部に、矩形の突出片（係止部）３１ａを備える。突出片３１ａは、略凹形に折り曲げた被覆部３０を開口部１３から第１面Ｓ１側に突出させたときに、ラベル部１０の開口部１３の第２面Ｓ２の側と係合する部分である。突出片３１ａは、ラベル重複部２０と反対側の端部から左右方向（Ｘ方向）に突出している。突出片３１ａを含めた正面部３１の幅Ｗ３は、開口部１３（ラベル本体部１１）の幅Ｗ１よりも長い寸法となるように設定されている。これにより、折り曲げられた被覆部３０を開口部１３に通した後、被覆部３０が上方向（Ｚ１方向）に引っ張られても、被覆部３０が開口部１３から外れにくくできる。
【００２９】
次に、シート状の容器表示体１を略凸形状に折り込む手順について説明する。なお、容器表示体１を略凸形状に折り込む手順は、後述する第２〜第４実施形態の容器表示体１Ａ〜１Ｃにも共通する。
図２（Ａ）〜（Ｃ）は、容器表示体１を略凸形状に折り込む手順を示す側面図である。
まず、図２（Ａ）に示すように、シート状の容器表示体１において、折り代２ｂの位置でラベル重複部２０及び被覆部３０を矢印方向に折り曲げる。ラベル重複部２０及び被覆部３０を折り曲げる角度は、ラベル部１０に対して９０°程度であればよい。
【００３０】
次に、図２（Ｂ）に示すように、被覆部３０を、折り代２ｃ〜２ｅの位置において、第２面Ｓ２側に軽く折り曲げる。このとき、折り代２ｃが折り曲げられると、ラベル重複部２０の当接片２１が、切り込み２ｆ（図１参照）において被覆部３０と分離する。そして、折り曲げた被覆部３０全体を、ラベル本体部１１（ラベル部１０）の第２面Ｓ２側から第１面Ｓ１側に向けて開口部１３の中を通す。
【００３１】
次に、図２（Ｃ）に示すように、開口部１３の第１面Ｓ１に突出した被覆部３０を略凹形に折り曲げて形を整える。このとき、ラベル重複部２０は、ラベル本体部１１（ラベル部１０）の第２面Ｓ２と重ねられる。これにより、ラベル重複部２０の当接片２１は、ラベル本体部１１の当接部１４ａ、１４ｂ（図１参照）と同じく、開口部１３の内側に向くことになる。また、被覆部３０の突出片３１ａを開口部１３の第２面Ｓ２と係合させる。以上の作業により、容器表示体１を略凸形状に折り込むことができる。
【００３２】
容器表示体１を略凸形状に折り込んだ状態で、訴求面１１ａを有するラベル本体部１１（ラベル部１０）は、平坦性が保たれるため、例えば、ラベル本体部１１がＶ字形に谷折りされた形態に比べて、ラベル本体部１１の訴求面１１ａに表示された商品情報等を視認しやすくなる。また、図２（Ｃ）に示すように、ラベル部１０の折り代２ａにおいて、延出部１２を矢印方向に折り曲げることにより、延出部１２の訴求面１２ａを容器表示体１の前側（Ｙ１側）に向けることができる。そのため、延出部１２の訴求面１２ａに表示された商品情報等を視認しやすくなる。
【００３３】
次に、略凸形状に折り込まれた容器表示体１をボトル５０に装着する手順について説明する。
図３（Ａ）及び（Ｂ）は、容器表示体１をボトル５０に装着する手順を示す斜視図である。図４は、容器表示体１とボトル５０の栓部５１との係合状態を示す概略断面図である。図４では、係合状態の説明に必要な部分のみを図示している。
なお、本実施形態では、容器表示体１を装着する容器として、飲料用のボトル５０を例として説明する。
【００３４】
まず、図３（Ａ）に示すように、ボトル５０の栓部５１の上方向（Ｚ１方向）において、開口部１３が栓部５１と対向するように容器表示体１の位置を定める。次に、図３（Ｂ）に示すように、容器表示体１をボトル５０の栓部５１の上に被せる。そして、図４に示すように、容器表示体１の当接部１４ａ、１４ｂ及び当接片２１を、ボトル５０の側面に当接させる。より具体的には、容器表示体１の当接部１４ａ、１４ｂ及び当接片２１を、栓部５１の下方において、ボトル５０の側面とそれぞれ当接させる。
【００３５】
図４に示すように、容器表示体１の当接部１４ａ、１４ｂがボトル５０の左右方向（Ｘ方向）側面と当接することにより、容器表示体１の上下方向（Ｚ方向）及び左右方向（Ｘ方向）への移動が抑制される。また、容器表示体１の当接片２１がボトル５０の後側（Ｙ２側）の側面と当接することにより、容器表示体１の前方向（Ｙ１方向）への移動が抑制される。また、被覆部３０の突出片３１ａが開口部１３の第２面Ｓ２と係合することにより、被覆部３０が上方向（Ｚ１方向）に引っ張られた際に、被覆部３０が開口部１３から外れることが抑制される（図３（Ｂ）参照）。更に、容器表示体１が後方向（Ｙ２方向）への移動したときに、被覆部３０の正面部３１がボトル５０の栓部５１と当接することにより、容器表示体１の後方向への移動が抑制される（図３（Ｂ）参照）。
【００３６】
したがって、容器表示体１をボトル５０に装着することにより、容器表示体１の左右方向（Ｘ方向）、前後方向（Ｙ方向）及び上下方向（Ｚ方向）への移動が抑制される。また、ボトル５０の栓部５１に装着した容器表示体１は、ボトル５０を手で押さえながら、容器表示体１の全体を上方向（Ｚ１方向）に引き上げることにより、ボトル５０から取り外すことができる。
【００３７】
上述した第１実施形態の容器表示体１によれば、容器表示体１をボトル５０に装着した状態で、訴求面１１ａを有するラベル本体部１１（ラベル部１０）の平坦性が保たれる。そのため、消費者においては、ラベル本体部１１の訴求面１１ａに表示された商品情報等を視認しやすくなる。また、第１実施形態の容器表示体１によれば、訴求面１１ａを有するラベル本体部１１を、ボトル５０の上側（Ｚ１側）に設けることができるので、ボトル５０の胴体部分に貼り付けられたラベル等を遮ることがなく、また他の商品と比べて訴求面が上側に位置するため、商品情報等による訴求効果をより高めることができる。
【００３８】
第１実施形態の容器表示体１によれば、ラベル本体部１１（ラベル部１０）の当接部１４ａ、１４ｂがボトル５０の左右方向（Ｘ方向）側面と当接することより、容器表示体１の上下方向（Ｚ方向）及び左右方向（Ｘ方向）への移動が抑制される。また、ラベル重複部２０の当接片２１がボトル５０の後側（Ｙ２側）の側面と当接することにより、容器表示体１の前方向（Ｙ１方向）への移動が抑制される。更に、被覆部３０の正面部３１がボトル５０の栓部５１と当接することにより、容器表示体１の後方向（Ｙ２方向）への移動が抑制される。したがって、容器表示体１をボトル５０に装着することにより、容器表示体１の左右方向（Ｘ方向）、前後方向（Ｙ方向）及び上下方向（Ｚ方向）への移動を抑制できる。
【００３９】
第１実施形態の容器表示体１において、ラベル部１０は、ラベル本体部１１と連なって設けられる延出部１２を備える。延出部１２は、折り代２ａにおいて折り曲げることにより、訴求面１２ａを容器表示体１の前側（Ｙ１側）に向けることができる。そのため、延出部１２の訴求面１２ａに表示された商品情報等を視認しやすくなる。また、延出部１２は、訴求面１１ａを有するラベル本体部１１と連なっているため、全体としてより広い訴求面が確保できる。したがって、第１実施形態の容器表示体１によれば、延出部１２を設けることにより、訴求効果をより高めることができる。
【００４０】
なお、第１実施形態の容器表示体１を略凸形状に折り込むと、図３（Ｂ）に示すように、被覆部３０の第２面Ｓ２が容器表示体１の第１面Ｓ１の側に表出する。そのため、ラベル本体部１１の第１面Ｓ１の側と、被覆部３０の第２面Ｓ２の側に、それぞれ商品情報等を両面印刷で形成すれば、容器表示体１を略凸形状に折り込んだときに、ラベル本体部１１の訴求面１１ａだけでなく、被覆部３０の第２面Ｓ２を訴求面として利用できる。また、ラベル本体部１１の第１面Ｓ１の側と、被覆部３０の第２面Ｓ２の側に、それぞれ異なる色や絵柄を両面印刷で形成すれば、容器表示体１を略凸形状に折り込んだときの意匠性をより高めることができる。例えば、容器表示体１の全体を帽子に模した形状としてもよい。これにより、容器表示体１の意匠性及びアイキャッチ効果をより高めることができる。
【００４１】
（第２実施形態）
第２実施形態の容器表示体１Ａは、被覆部３０に延出部３５を備えること等が第１実施形態と相違する。第２実施形態の容器表示体１Ａにおいて、その他の構成は、第１実施形態と実質的に同じである。そのため、第２実施形態の説明及び図面において、第１実施形態と同等の部材等には、第１実施形態と同一の符号を付し、重複する説明を省略する。
【００４２】
図５は、第２実施形態の容器表示体１Ａを示す平面図である。図６は、第２実施形態の容器表示体１Ａをボトル５０に装着した状態を示す斜視図である。
図５に示すように、第２実施形態の容器表示体１Ａは、被覆部３０の後端側（Ｙ２側）に延出部３５を備えている。延出部３５は、突出片３１ａの端部に連なって設けられ、第２面Ｓ２の側が訴求面となる。延出部３５は、正面部３１の突出片３１ａと連なる部分に切り込み２ｇが形成されている。容器表示体１Ａを略凸形状に折り込んだ後、延出部３５を切り込み２ｇの位置で前側（Ｙ１側）に折り曲げることにより、延出部３５をボトル５０に対して所定の角度で傾けることができる。
【００４３】
第２実施形態のラベル重複部２０は、後側（Ｙ２側）から前側（Ｙ１側）に向けて徐々に幅が狭くなるようにテーパー状に形成されている。ラベル重複部２０をラベル本体部１１（ラベル部１０）の第２面Ｓ２と重ねたときに、ラベル重複部２０がラベル本体部１１の外周から露出しないようにするためである。
【００４４】
第２実施形態のラベル本体部１１（ラベル部１０）は、実際の帽子を模した円形に形成されている。また、第２実施形態のラベル本体部１１には、延出部１２（図１参照）が連なって設けられていない。そのため、第２実施形態において、ラベル本体部１１は、実質的にラベル部１０となる。
第２実施形態の容器表示体１Ａは、第１実施形態と同じ手順で略凸形状に折り込むことができる。第２実施形態の容器表示体１Ａを略凸形状に折り込むと、図６に示すように、実際の帽子（例えば、シルクハット）とほぼ同じ帽子形の外観となる。
【００４５】
容器表示体１Ａを略凸形状に折り込むと、容器表示体１Ａの前側（Ｙ１側）に延出部３５の第２面Ｓ２が向くことになる。そのため、延出部３５の第２面Ｓ２に、例えば、人の顔を予め印刷しておけば、容器表示体１Ａをボトル５０に装着したときに、ボトル５０の上部に帽子を被った人物の外観を付与できる。また、延出部３５の第２面Ｓ２を無地（白地）とすれば、容器表示体１Ａをボトル５０に装着した後、その部分に手書きで人物の顔を描くことができる。
【００４６】
なお、第２実施形態においては、延出部３５を人の顔を模した形状とするため、延出部３５のＹ２側を楕円形とした例について説明したが、これに限らず、延出部３５を円形、四角形等としてもよい。また、延出部３５は、容器表示体１Ａを略凸形状に折り込む際に、ラベル本体部１１の開口部１３を通さないので、開口部１３よりも大きな形状としてもよい。
【００４７】
（第３実施形態）
第３実施形態の容器表示体１Ｂは、ラベル本体部１１（ラベル部１０）の形状等が第１実施形態と相違する。第３実施形態の容器表示体１Ｂにおいて、その他の構成は、第１実施形態と実質的に同じである。そのため、第３実施形態の説明及び図面において、第１実施形態と同等の部材等には、第１実施形態と同一の符号を付し、重複する説明を省略する。
【００４８】
図７は、第３実施形態の容器表示体１Ｂを示す平面図である。図８は、第３実施形態の容器表示体１Ｂをボトル５０に装着した状態を示す斜視図である。
図７に示すように、第３実施形態の容器表示体１Ｂは、ラベル本体部１１（ラベル部１０）の左右方向（Ｘ方向）に、延出部１５及び１６が連なって設けられている。ラベル本体部１１の右側（Ｘ１側）には、延出部１５が設けられている。延出部１５と開口部１３との境界部分には、折り代２ｈが形成されている。ラベル本体部１１の左側（Ｘ２側）には、延出部１６が設けられている。延出部１６と開口部１３との境界部分には、折り代２ｉが形成されている。折り代２ｈ及び２ｉは、容器表示体１Ｂを略凸形状に折り込んだ後に、第２面Ｓ２の側に向けて折り曲げられる部分である。
【００４９】
第３実施形態のラベル本体部１１には、延出部１２（図１参照）が連なって設けられていない。そのため、第３実施形態において、ラベル本体部１１は、実質的にラベル部１０となる。
また、第３実施形態の被覆部３０において、正面部３１は、ラベル重複部２０と反対側の端部に突出片３１ｂを備えている。突出片３１ｂは、ラベル部１０の開口部１３の第２面Ｓ２の側と係合すると共に、折り曲げられた延出部１５及び１６に当接する部分である。突出片３１ｂは、ラベル重複部２０と反対側の端部から左右方向（Ｘ方向）に突出している。突出片３１ｂは、折り曲げられた延出部１５及び１６の側面と沿うように、三角形に形成されている。折り曲げられた延出部１５及び１６の傾斜は、突出片３１ｂを構成する三角形の斜辺の角度に応じて設定される。
【００５０】
第３実施形態の容器表示体１Ｂは、第１実施形態と同じ手順で略凸形状に折り込むことができる。第３実施形態の容器表示体１Ｂを、略凸形状に折り込んだ後、延出部１５及び１６を折り代２ｈ及び２ｉの位置で第２面Ｓ２の側に折り曲げることにより、図８に示すような屋根形状となる。第３実施形態の容器表示体１Ｂを略凸形状に折り込むと、ラベル本体部１１の訴求面１１ａだけでなく、延出部１５及び１６のそれぞれの第１面Ｓ１を訴求面として利用できるため、訴求効果をより高めることができる。
なお、第３実施形態の容器表示体１Ｂにおいて、延出部１５及び１６の形状は、四角形であるが、半円形、三角形、台形、多角形等であってもよい。
また、第３実施形態の容器表示体１Ｂにおいて、図７に示すように、ラベル本体部１１の折り代２ｈ及び２ｉを、開口部１３の当接部１４ａ、１４ｂと接する位置（図中、想像線で示す位置）に設けてもよい。本形態において、略凸形に折り込んだ容器表示体１Ｂをボトル５０に装着すると、当接部１４ａ、１４ｂがボトル５０の側面と当接する反力により、延出部１５及び１６の訴求面となる第１面Ｓ１が下側（Ｚ２側）に向きにくくなり、上側（Ｚ１側）を向くようになる。そのため、本形態においては、主に上面側に対する訴求効果を高めることができる。
【００５１】
（第４実施形態）
第４実施形態の容器表示体１Ｃは、ラベル部１０、ラベル重複部２０及び被覆部３０の形状等が第１実施形態と相違する。第４実施形態の容器表示体１Ｃにおいて、その他の構成は、第１実施形態と実質的に同じである。そのため、第４実施形態の説明及び図面において、第１実施形態と同等の部材等には、第１実施形態と同一の符号を付し、重複する説明を省略する。
【００５２】
図９は、第４実施形態の容器表示体１Ｃを示す平面図である。図１０は、第４実施形態の容器表示体１Ｃをボトル５０に装着した状態を示す斜視図である。
図９に示すように、第４実施形態の容器表示体１Ｃにおいて、ラベル本体部１１は、実際の帽子を模した円形に形成されている。第４実施形態のラベル本体部１１には、延出部１２（図１参照）が連なって設けられていない。そのため、第４実施形態において、ラベル本体部１１は、実質的にラベル部１０となる。
【００５３】
第４実施形態の容器表示体１Ｃにおいて、開口部１３は、左右方向（Ｘ方向）の側縁部１３ａ、１３ｂが直線状に形成され、前後方向（Ｙ方向）の側縁部１３ｃ、１３ｄが曲線状に形成されている。開口部１３の左右方向（Ｘ方向）の幅Ｗ１は、被覆部３０の最も広い部分の幅Ｗ２と同じか僅かに狭い寸法となるように設定されている。
第４実施形態のラベル重複部２０は、後側（Ｙ２側）から前側（Ｙ１側）に向けて徐々に幅が狭くなるようにテーパー状に形成されている。前述した第２実施形態と同様に、ラベル重複部２０をラベル本体部１１（ラベル部１０）の第２面Ｓ２と重ねたときに、ラベル重複部２０がラベル本体部１１の外周から露出しないようにするためである。
【００５４】
第４実施形態の被覆部３０において、正面部３１、天井部３２及び背面部３３は、左右方向（Ｘ方向）が内側に向けてそれぞれ凹形となるように曲線状に形成されている。正面部３１、天井部３２及び背面部３３の形状を、左右方向において曲線状とすることにより、略凸形状に折り込んだ容器表示体１Ｃを前側（Ｙ１側）から見たときに、被覆部３０が全体的に略台形となる。そのため、略凸形状に折り込んだ容器表示体１Ｃは、実際の帽子を模した外観となる。
【００５５】
被覆部３０において、正面部３１の前後方向（Ｙ方向）の長さＬ３は、背面部３３の前後方向（Ｙ方向）の長さＬ４よりも短い寸法（例えば、−１〜−３ｍｍ程度）となるように設定されている。これにより、容器表示体１を略凸形状に折り込むと、正面部３１の高さが背面部３３よりも低くなるため、図１０に示すように、略凸形状に折り込んだ容器表示体１Ｃを前側（Ｙ１側）から見たときに、実際に人が帽子を目深に被ったような外観が得られる。
【００５６】
被覆部３０において、ラベル重複部２０との境界に位置する折り代２ｃは、背面部３３の側からラベル重複部２０に向けて凸形となるように曲線状に形成されている。折り代２ｃの曲線形状は、開口部１３の側縁部１３ｄの曲線形状と一致している。
被覆部３０において、折り代２ｄは、天井部３２の側から背面部３３に向けて凸形となるように曲線状に形成されている。また、折り代２ｅは、天井部３２の側から正面部３１に向けて凸形となるように曲線状に形成されている。
【００５７】
上記構成によれば、略凸形状に折り込んだ容器表示体１Ｃにおいて、背面部３３の下側（Ｚ２側）は、折り代２ｃが開口部１３の側縁部１３ｄと沿うために曲線状となる。背面部３３の上側（Ｚ１側）は、折り代２ｄにより曲線状となる。これにより、背面部３３には、後側（Ｙ２側）に向けて凸形状となる曲面が形成される。
【００５８】
また、略凸形状に折り込んだ容器表示体１Ｃにおいて、正面部３１の下側（Ｚ２側）は、開口部１３の側縁部１３ｃと沿うために曲線状となる。正面部３１の上側（Ｚ１側）は、折り代２ｅにより曲線状となる。これにより、正面部３１には、前側（Ｙ１側）に向けて凸形状となる曲面が形成される。
【００５９】
図１０に示すように、略凸形状に折り込んだ容器表示体１Ｃにおいて、被覆部３０は、全体として略円筒形となるため、実際の帽子により近い外観となる。したがって、第４実施形態の容器表示体１Ｃによれば、ラベル本体部１１の訴求面１１ａに表示され商品情報等に対する興味、関心を喚起しやすくなるため、商品情報等による訴求効果をより高めることができる。
また、被覆部３０において、天井部３２と接する折り代２ｄ及び２ｅを曲線状としたため、正面部３１と背面部３３は、それぞれ外側に向けて凸形状の曲面となる。これによれば、略凸形状に折り込んだ容器表示体１Ｃをボトル５０に装着したときに、ボトル５０の側面に対する固定力がより強くなるため、ボトル５０に装着した容器表示体１Ｃを外れにくくすることができる。
【００６０】
なお、第４実施形態では、ラベル本体部１１を、実際の帽子を模して円形に形成した例を示したが、これに限らず、四角形、三角形、台形、多角形であってもよいし、各種の意匠を模した形状であってもよい。また、第４実施形態において、開口部１３の側縁部１３ａ、１３ｂに、第１実施形態の当接部１４ａ、１４ｂ（図１参照）を設けた構成としてもよい。
【００６１】
以上、本発明の実施形態について説明したが、本発明は、前述した実施形態に限定されるものではなく、後述する変形形態のように種々の変形や変更が可能であって、それらも本発明の技術的範囲内に含まれる。また、実施形態に記載した効果は、本発明から生じる最も好適な効果を列挙したに過ぎず、実施形態に記載したものに限定されない。なお、上述の実施形態及び後述する変形形態は、適宜に組み合わせて用いることもできるが、詳細な説明は省略する。
【００６２】
（変形形態）
第１実施形態の容器表示体１において、ラベル本体部１１の右側（Ｘ１側）又は左側（Ｘ２側）に連なるように延出部を設けてもよい。
第２実施形態の容器表示体１Ａにおいて、ラベル本体部１１の周囲に１又は複数の延出部を設けてもよい。
第３実施形態の容器表示体１Ｂにおいて、ラベル本体部１１の前側（Ｙ１側）に連なるように延出部を設けてもよい。
【００６３】
第１〜第４実施形態においては、折り曲げた被覆部３０を、ラベル本体部１１（ラベル部１０）の第２面Ｓ２側から第１面Ｓ１側に向けて開口部１３を通すことにより容器表示体１を略凸形状とする例を説明した。この例において、ラベル重複部２０は、ラベル本体部１１の第２面Ｓ２と重ねられる。これに限らず、折り曲げた被覆部３０を、第１面Ｓ１側に折り曲げ、突出片３１ａのみを開口部１３に通すことにより容器表示体１を略凸形状としてもよい。この例において、ラベル重複部２０は、ラベル本体部１１の第１面Ｓ１と重ねられる。
第１〜第４実施形態においては、折り曲げた被覆部３０の形状が、左右方向（Ｘ方向）からの側面視において略四角形となる例について説明した。これに限らず、折り曲げた被覆部３０は、例えば、半円形、楕円形等であってもよい。
第１〜第４実施形態においては、本発明に係る容器表示体を、飲料用のボトルに装着する例について説明した。これに限らず、本発明に係る容器表示体は、飲料用の缶に装着してもよいし、食品、化粧品、洗剤、芳香剤等のボトル又は缶、各種の詰め替え用ボトル、スプレー缶等にも装着できる。また、本発明に係る容器表示体を、実際の帽子と同じ大きさで作製すれば、例えば、イベント用、販売促進用等のグッズとしても利用できる。
【符号の説明】
【００６４】
１，１Ａ，１Ｂ，１Ｃ    容器表示体
２    シート
１０    ラベル部
１１    ラベル本体部
１１ａ，１２ａ    訴求面
１２    延出部
１３    開口部
１４ａ，１４ｂ    当接部
１５，１６    延出部
２０    ラベル重複部
２１    当接片
３０    被覆部
３１ａ，３１ｂ    突出片
Ｓ１    第１面
Ｓ２    第２面
【図１】
2020122825.tif 000003
【図２】
2020122825.tif 000004
【図３】
2020122825.tif 000005
【図４】
2020122825.tif 000006
【図５】
2020122825.tif 000007
【図６】
2020122825.tif 000008
【図７】
2020122825.tif 000009
【図８】
2020122825.tif 000010
【図９】
2020122825.tif 000011
【図１０】
2020122825.tif 000012